(57)【特許請求の範囲】
【請求項１】
前方に開放された収納箱本体の内部背面上に機器取付のための第１パネルを配置すると共に、前記第１パネル前方の少なくとも一部に第１パネルに対して機器を取付可能な所定の間隔を設けて機器取付のための第２パネルを配置し、前後２段に電気機器を収納可能とすると共に、前記第１パネル及び前記第２パネルと前記収納箱本体の周囲側板との間に、配線用ガタースペースを一定幅で設けたことを特徴とする家庭用ホーム盤。
【請求項２】
第１パネルに第２パネルを保持する保持部を形成し、該保持部に第２パネルを着脱可能に保持させて成る請求項１記載の家庭用ホーム盤。
【請求項３】
保持部は第２パネルの対向する２辺を保持する第１保持部と第２保持部とから成り、第１保持部は第２パネルの一方の辺に設けた係止片を係止する係止部を有し、第２保持部は第２パネルの他方の辺とねじ止めにより連結するねじ孔を有して成る請求項２記載の家庭用ホーム盤。
【発明の詳細な説明】
【０００１】
【発明の属する技術分野】
本発明は、電気機器、情報機器を収納する電気機器収納箱に関し、特に家庭用ホーム盤における電気機器の機器収納構造の改良に関する。
【０００２】
【従来の技術】
従来の家庭用ホーム盤の機器収納構造は図６に示す構成のものが知られている。図６（ａ）は家庭用ホーム盤の部分平面図、図６（ｂ）はその右断面説明図を示し、２１は家庭用ホーム盤の本体、２２は収納された機器、２３は機器を設置するパネルを示している。
図６に示すように従来の家庭用ホーム盤は、本体２１内に機器２２を設置するためのパネル２３を設けて、そのパネル２３上に機器２２を組付けていた。また、パネル２３周囲には一定幅の配線用のガタースペース２４を設けて利用していた。
そして、収納する機器が多い場合は、図７の説明図に示すように収納箱２１全体を大きく例えば横方向に拡大して、機器収納スペースを確保していた。図７（ａ）は通常の家庭用ホーム盤の機器収納スペースと配線用ガターの比率を示し、図７（ｂ）は拡大した家庭用ホーム盤の機器収納スペースと配線用ガターの比率を示している。
【０００３】
【発明が解決しようとする課題】
上述するように、従来は収納機器の増加に伴い家庭用ホーム盤を大型化して対応させていたため、当然収納箱の設置スペースも広くしなければならなかった。また、機器収納スペースを拡大した場合、それに合わせて配線用ガターも拡大できると都合が良いが、家庭用ホーム盤とパネルは規格化されているため、都合良く双方を拡大することができなかった。
例えば、図７の機器収納スペースと配線用ガタースペースの比率の一例を示す説明図のように、機器収納スペースＳ３と配線スペースＳ４の比Ｓ３対Ｓ４が２対２．５であったものは、収納箱を拡大することで４対３．５と変化し、配線スぺースＳ４の割合が減少てしまい機器収納スペースに比例して良好な配線用ガタースペースを確保するのは難しかった。
【０００４】
また、近年に至っては、情報機器の普及に伴い、ＨＵＢ、ルータ、或いはモデム等の情報機器をブレーカ等の電力関連機器と共に収納することが多くなり、電気器収納箱に収納する機器が増加する傾向にあり、家庭用ホーム盤はますます大型化する傾向にあった。
【０００５】
そこで、本発明は上記問題点に鑑み、家庭用ホーム盤の設置面積を増やすことなく機器収納スペースを拡大でき、また配線用ガタースペースも合わせて拡大することが容易な家庭用ホーム盤を提供することを目的とする。
【０００６】
【課題を解決するための手段】
上記課題を解決するため、請求項１の発明は、前方に開放された収納箱本体の内部背面上に機器取付のための第１パネルを配置すると共に、前記第１パネル前方の少なくとも一部に第１パネルに対して機器を取付可能な所定の間隔を設けて機器取付のための第２パネルを配置し、前後２段に電気機器を収納可能とすると共に、前記第１パネル及び前記第２パネルと前記収納箱本体の周囲側板との間に、配線用ガタースペースを一定幅で設けたことを特徴とする。
【０００７】
請求項２の発明は、請求項１の発明において、第１パネルに第２パネルを保持する保持部を形成し、該保持部に第２パネルを着脱可能に保持させて成ることを特徴とする。
【０００８】
請求項３の発明は、請求項２の発明において、保持部は第２パネルの対向する２辺を保持する第１保持部と第２保持部とから成り、第１保持部は第２パネルの一方の辺に設けた係止片を係止する係止部を有し、第２保持部は第２パネルの他方の辺とねじ止めにより連結するねじ孔を有して成ることを特徴とする。
【０００９】
【発明の実施の形態】
以下、本発明を具体化した実施の形態を、図面に基づいて詳細に説明する。図１，図２は本発明に係る家庭用ホーム盤の１例を示している。図１（ａ）は収納箱本体の部分正面図、図１（ｂ）は右側面説明図であり、図２は図１（ａ）に対応した斜視図を示している。家庭用ホーム盤はこの収納箱本体１と図示しない蓋体とから成り、収納箱本体１内の背面１ａには電気機器を取付けて収納するための第１パネル２が設置され、その前方には同様に電気機器を取付けて収納するための第２パネル３が設置されている。
尚、４は第１パネル２に装着された電気機器、５は第２パネル３に装着された電気機器を示している。
【００１０】
第１、第２パネル２，３は金属板をプレス成形して略四角形に形成され、第１パネル２は収納箱本体１の背面サイズより一回り小さく形成され、収納箱本体１内部の背面１ａ中央に装着されている。こうして、第１パネル２周囲と収納箱本体１の４辺の側板１ｂの間に配線のためのガタースペース６を形成している。
また、第１パネル２は図示右端部が前方に折曲げ形成され、図３の要部拡大図に示すように第２パネル３の一端を係止する第１保持部８が形成されている。第１保持部は、第２パネル３の右端部に設けた係止片９を挿入係止する係止部である係止孔８ａが上下２ヶ所に形成され、その隣接する第１保持部８前面は第１パネル２に平行な平面が形成され、第２パネルを固定する受け面８ｂを形成している。
更に、第１パネル２上の第２パネル３の反対側左端部に対応する位置には第２パネル３を所定の間隔を設けて保持する第２保持部としての帯状の保持板１０が設けられ、その略中央部にはねじ孔を有する連結片（図示せず）が設けられている。
【００１１】
第２パネル３は第１パネル２より小さく形成され、図３に示すように右端部には第１パネル２の係止孔８ａに係止する爪状の係止片９が２ヶ所突設され、左端の略中央には、第１パネル２に組付ける際に第１パネル２に設けた連結片のねじ孔に例えばローレットねじでねじ止めするためのねじ挿通孔１２が設けられている。
【００１２】
そして、第２パネル３の装着は図３に示すように、係止片９を第１パネル２の係止孔８ａに挿入係止したの後、図２（ａ）に示すように第１パネル上に配置して、保持板１０上に第２パネル３の左辺を配置してローレットねじ（図示せず）で固定する。
尚、第２パネルは２段に配置可能な機器の数や大きさに応じて決定され、全ての機器が２段に設置可能であれば第２パネル３も第１パネル２と略同一の大きさとしても良い。また、第２パネルの取外し操作は装着とは逆の操作をすれば良い。
【００１３】
このように、第２パネルを装着した部位には前後２段に機器を収納できるので、収納する機器の数が増加しても収納箱を大きくせずに対応することが可能となる。
特にＨＵＢやルータ等の情報機器はブレーカ等の電力機器に比べて高さの低い機器であるので、遮断器等の電力機器を収納可能な厚みを有する収納箱であれば２段に収納することが可能であり、本発明の構成は効果的に機器を収納できる。
また、第２パネルは第１パネルに設けた第１及び第２の２つの保持部に保持されるので、収納箱を新たに製作して第２パネル保持部を収納箱本体に形成する必要が無く、従来の収納箱を使用できる。
また、第２パネルは第２保持部に連結操作したねじの操作のみで着脱でき、簡易な操作で着脱できる。特に止め部にローレットねじを使用することで、工具を使用することなく第２パネルを着脱でき、更に簡易な操作で着脱できる。
【００１４】
図４は機器取付けパネルを上記２段構成とした場合の収納箱の機器収納スペースと配線に使用するガタースペースの比率の一例を示す説明図であり、第１パネル２上の機器収納スペースＳ１とその周囲の配線用ガタースペースＳ２（図示斜線部）の比率Ｓ１対Ｓ２を２対２．５とすると、同様の幅のガタースペースを第２パネル周囲にも設けた場合、第２パネル３上の機器収納スペースＳ１１とその周囲に設けた配線用ガタースペースＳ１２（図示斜線部）の比率Ｓ１１対Ｓ１２も同様に２対２．５となり、双方を合わせても２対２．５で比率が変化することはない。
【００１５】
このように、第１パネルの周囲に加えて第２パネルの周囲にも配線用ガタースペースを設れば、機器収納スペースを増やしてもそれに合わせて配線用ガタースペースも拡大でき、収納機器が増えても配線の引回しが容易となる。特に、第１パネル周囲のガタースペースの幅に合わせて第２パネルのガタースペースを設ければ、機器収納スペースを拡大しても機器収納スペースと配線スペースの比率が変換することがなく良好に配線できる。
【００１６】
図５は第１保持部と第２パネルとの係合部の他の形状を示し、第２パネル３の２つの係止片９を鈎状に形成し、第１パネル２の係止部をその係止片９を掛ける掛溝１３として形成している。第２パネル３と第１パネル２の係止構造をこのように設け形成しても良好に保持できる。
また、上記実施形態は、係止部を設けた第１保持部をパネル右側に設けると共にねじ部をパネル左側に設けて第２パネルを右開き構造としているが、第１パネル２と第２パネル３との係合部は左側に設けても良いし、上端或いは下端部に設けても良い。
【００１７】
【発明の効果】
以上詳述したように、請求項１の発明によれば、第２パネルを装着した部位には前後２段に機器を収納できるので、収納する機器の数が増加しても収納箱を大きくせずに対応することが可能となる。
特にＨＵＢやルータ等の情報機器はブレーカ等の電力機器に比べて高さの低い形状であるので、遮断器等の電力機器を収納可能な厚みを有する収納箱であれば２段に収納することが可能であり、本発明の構成は効果的に機器を収納できる。
【００１８】
そして、第１パネルの周囲に加えて第２パネルの周囲にも配線用ガタースペースを設けたので、機器収納スペースを増やしてもそれに合わせて配線用ガタースペースも拡大でき、収納機器が増えても配線の引回しが容易である。特に、第１パネル周囲のガタースペースの幅に合わせて第２パネルのガタースペースを設ければ、機器収納スペースを拡大しても機器収納スペースと配線スペースの比率が変化することがなく良好に配線できる。
【００１９】
請求項２の発明によれば、請求項１又は２の効果に加えて第２パネルは第１パネルに保持されるので、収納箱を新たに製作する必要が無く従来の収納箱を使用できる。
また、請求項３の発明によれば、請求項３の効果に加えて、第２パネルの一方の辺に設けたねじの操作のみで第２パネルを着脱でき、簡易な操作で着脱が可能である。特に止め部にローレットねじを使用すれば、工具を使用することなく第２パネルを着脱でき、更に簡易な操作で着脱できる。
【図面の簡単な説明】
【図１】  本発明に係る家庭用ホーム盤の実施形態の１例を示し、（ａ）は収納箱本体の部分平面図、（ｂ）はその右側面説明図である。
【図２】  図１の斜視図であり、（ａ）は上パネルを閉じた状態、（ｂ）は上パネルを開放した状態を示している。
【図３】  上パネルの装着構造を示す説明図である。
【図４】  図１の機器収納スペースと配線用ガタースペースの比率の説明図であり、（ａ）は第１パネルの比率、（ｂ）は第２パネルの比率を示している。
【図５】  第１パネルと第２パネルの係合部の他の形状を示す斜視図である。
【図６】  従来の家庭用ホーム盤の収納箱本体を示し、（ａ）は部分正面図、（ｂ）はその右側面説明図である。
【図７】  図６の機器収納スペースと周囲に設けた配線用ガタースペースの比率の説明図であり、（ａ）は小さい収納箱の場合、（ｂ）は大きい収納箱の場合を示している。
【符号の説明】
１・・収納箱本体、１ａ・・背面、１ｂ・・側板、２・・第１パネル、３・・第２パネル、４，５・・電気機器、６・・ガタースペース、８・・第１保持部、８ａ・・係止部である係止孔、９・・係止片、１０・・第２保持部としての保持板、１２・・ねじ挿通孔、１３・・掛溝。
【図１】
0003950007.tif 000002
【図２】
0003950007.tif 000003
【図３】
0003950007.tif 000004
【図４】
0003950007.tif 000005
【図５】
0003950007.tif 000006
【図６】
0003950007.tif 000007
【図７】
0003950007.tif 000008